(57)【特許請求の範囲】
【請求項１】
ユニット本体の金属の上下両フレーム間に複数のパチンコ機の機枠を配してパチンコ機が並列状態で装備されるパチンコ設備ユニットにおいて、
ユニット本体の前記下フレームの上面側に、螺着されたねじを備えてねじ下端の下に前記機枠の下辺部が差し入れられる挟持部を前記下フレームとで形成する下支持装置を設けて、該下支持装置と下フレームとで前記下辺部を挟持状態にして保持し、
前記上フレームの下面側に断面Ｌ字型の支持金具を設けて、この支持金具の下方に向いた垂下片を、前記機枠の上辺部の後面とこの上辺部の下面に取り付けたＬ金具の前記上辺部の後面側で立ち上がった立ち上がり片とで挟持状態にしてスライド可能に保持したことを特徴とするパチンコ設備ユニット。
【請求項２】
上記支持金具は上フレームに対してユニット本体の奥行方向に移動調整可能にして取り付けられ、かつ、上記下支持装置のねじの下端が機枠の下辺部の上面に該下辺部の幅方向での一点で点接触状態で当接して、支持金具の前記移動調整により前記機枠が傾動可能に設けられている請求項１に記載のパチンコ設備ユニット。
【発明の詳細な説明】
【０００１】
【発明の属する技術分野】
本発明は、パチンコ島に用いられるパチンコ設備ユニットに関し、特にユニット本体へのパチンコ機の機枠の取付を工夫したパチンコ設備ユニットに関するものである。
【０００２】
【発明が解決しようとする課題】
多数のパチンコ機が並ぶ従来のパチンコ島は木材を骨格とする長尺な構造体であって、予め店舗内にて建て込まれたその構造体にパチンコ玉搬送装置や各種の機器を備え付け、さらに、その構造物に設けられている開口部それぞれに、傾斜を調整しながら機枠（木質材）を釘打ちによって取り付け、その機枠に対してパチンコ機が開閉可能なようにしてヒンジ結合にてセットしたものである。そして、定期的に或いは適宜の期間を経た後に前記パチンコ機の組み換えが行われている。
また、昨今においてはパチンコ機にパチンコ玉を供給したり貸玉機や金銭搬送機などの諸設備を一つにまとめたパチンコ設備ユニットが提案されるようになってきている。このパチンコ設備ユニットは、金属パネルなどからなる骨格体の内部に上述したようにパチンコ玉供給装置や貸玉機、金銭搬送機などの機器を組み込むとともに、遊技面側にあっては、例えば上部側に点検パネル、下部側に骨格体内を隠す化粧パネルなどが張られ、その上下間にパチンコ機を組み付けるための開口部が、前記骨格体内に金属のフレームを渡すことにより開口されているものである。そして、上記した木材骨組のパチンコ島の場合と同じように前記開口部に機枠を取り付け、その機枠にパチンコ機がヒンジ結合にてセットされている。
【０００３】
ところで、提案されている上記パチンコ設備ユニットにおいて、パチンコ機をセットする開口部はその上下が金属フレームであるため、機枠の釘打ち固定自体が難しいものとなっている。このような点から、上下のフレームの間に上下一対の回転フック部材を設けるとともに、これらの回転フック部材に対応して係合する係合部材を機枠の上辺部と下辺部とにそれぞれ設け、上下の両フレーム間への機枠の取り付けの際に、回転フック部材を前記係合部材に係合させることにより機枠の固定を行い、そして前記回転フック部材それぞれを前後方向にスライドできるようにして前記機枠の傾斜を調整できるようにしたものが提案されているが、構造が複雑となりコストを引き上げ、機枠の取付自体も簡単に行えないという問題がある。従って、機枠の傾斜調整が行え、しかも金属フレームに確実に取り付けられる固定手段が求められている。
【０００４】
さらに、従来から使用されている機枠にあっては寸法が二通りあって（Ｗ５３０ｍｍ×Ｈ８２０ｍｍとＷ５２０ｍｍ×Ｈ８１０ｍｍ）、両方の機枠を取り付けられるようにするには、開口部の寸法は大寸の機枠に合わせなければならない。そのため、その開口部に小寸の機枠を安定した状態でセットする場合には、機枠の左右と下側に合板を配置するなどして機枠の大きさを大寸の機枠と同一にするという手間を要しており、また、上記した回転フック部材を用いて機枠を固定するものでも、大寸の機枠に応じた配置でその回転フック部材が設けられていることから、同様に小寸の機枠に対して合板を取り付ける必要が生じており、この点においても前記合板などのを別途に用意することなく、機枠を固定できるようにすることが求められていた。
【０００５】
そこで本発明は上記事情に鑑み、上記パチンコ設備ユニットにおいて、開口部の上下にある金属フレームに、大寸の機枠であっても小寸の機枠であってもその機枠の上辺部、下辺部を支持させるための手段を設け、また、その機枠の傾斜調整も行えるようにすることを課題とし、パチンコ設備ユニットに対する機枠の取り付けを容易にすることを目的とする。
【０００６】
【課題を解決するための手段】
本発明は上記した課題を考慮してなされたもので、ユニット本体の金属の上下両フレーム間に複数のパチンコ機の機枠を配してパチンコ機が並列状態で装備されるパチンコ設備ユニットにおいて、ユニット本体の前記下フレームの上面側に、螺着されたねじを備えてねじ下端の下に前記機枠の下辺部が差し入れられる挟持部を前記下フレームとで形成する下支持装置を設けて、該下支持装置と下フレームとで前記下辺部を挟持状態にして保持し、前記上フレームの下面側に断面Ｌ字型の支持金具を設けて、この支持金具の下方に向いた垂下片を、前記機枠の上辺部の後面とこの上辺部の下面に取り付けたＬ金具の前記上辺部の後面側で立ち上がった立ち上がり片とで挟持状態にしてスライド可能に保持したことを特徴とするパチンコ設備ユニットを提供して、上記課題を解消するものである。また、前記支持金具が上フレームに対してユニット本体の奥行方向に移動調整可能にして取り付けられ、かつ、上記下支持装置のねじの下端が機枠の下辺部の上面に該下辺部の幅方向での一点で点接触状態で当接して、支持金具の前記移動調整により前記機枠が傾動可能に設けられているパチンコ設備ユニットも提供するものである。
【０００７】
本発明にあっては、機枠の上辺部の高さ位置が支持金具を挟持する範囲で自由であり、小寸の機枠においても下部に合板を介在させることなく機枠を保持させることができるようになる。
【０００８】
【発明の実施の形態】
つぎに本発明を図１から図４に示す実施の形態に基づいて詳細に説明する。
図中１はパチンコ設備ユニットであり、このユニット１は図１に示すように金属パネル材からなる骨格２の内部にパチンコ玉供給装置などの諸設備（図示せず）を組み込み、そして、二方の遊技面側にあっては上部に点検パネル、下部に化粧パネルをそれぞれ張り、骨格２内に渡した金属の上フレーム３と金属の下フレーム４の間に開口部５が形成されている。なお、図において片方の開口部は図示されていない。
【０００９】
開口部５の中央には薄形の貸玉供給装置ａが配置され、この貸玉供給装置ａにより開口部５が二つに仕切られている。以下、分けられた開口部分の一方側に基づいて説明を行うが開口部分それぞれにおいて同様の構造となっている。図２に示すように、開口部５の下フレーム４は、略Ｃ型として開放部分を下方に向けた状態で骨格の内部に渡されており、開口部５の上フレーム３は同様に略Ｃ型として開放部分を上方に向けた状態で骨格の内部に渡されている。そして、前記下フレーム４の上面には下支持装置６が一対設けられている（仕切られた開口部分それぞれにおいて一対ずつ設けられている）。
前記下支持装置６は図示されているように、外方側（遊技面側）を段上がりさせた略Ｚ型の金具７を下フレーム４にねじ止め８して固定し、そして、その金具７の段上がりしている前片９に蝶ねじ１０を螺着したものであり、前記蝶ねじ１０の下端１１が下フレーム４の上面に相対して挟持部１２を形成している。挟持部１２の開き寸は、機枠１３の下辺部１４一枚を差し入れることができるものである（図４（イ）参照）。
【００１０】
一方、上フレーム３の下面には、断面Ｌ字型とした支持金具１５が仕切られた開口部分ごとにその長さ方向に亘って取り付けられている。図３に示すように、前記支持金具１５は、上片１６を上フレーム３に接しさせ、上片１６の後縁から垂下片１７が下方に向けて延設されたものとされ、前記垂下片１７が機枠１３の上辺部１８の後面側に達している。そして、その支持金具１５をスライド可能に保持することができるように、前記上辺部１８の下面には要所にＬ金具１９がねじ止め２０されて上辺部後面側から立ち上げられており、上辺部１８の後面と前記Ｌ金具１９の立ち上がり片２１との間で支持金具１５の垂下片１７を挟持状態にしてスライド可能に保持するようにしている。上辺部１８及び立ち上がり片２１に対する前記垂下片１７の重なり代Ａは、上記下支持装置６に下辺部を支持させた大寸の機枠であっても小寸の機枠であっても、その垂下片１７が上辺部１８と立ち上がり片２１との間に位置するようになっており、後述の移動調整した際に外れることのない重なり代が確保されているものである。
図３に示すように上フレーム３には長孔２２が幅方向に開口され、その長孔２２を通る固定ねじ２３が上記支持金具１５の上片１６にねじ付けられており、前記固定ねじ２３を緩めることで支持金具１５をユニット１の奥行方向に移動させることができるように設けられている。このように機枠１３に係止する支持金具１５が移動可能とされているため、この支持金具１５の移動により機枠１３が傾動でき、機枠が所要の角度となったときに前記固定ねじ２３を締め付けるようにすれば機枠の傾きが固定される。
このように前記支持金具１５の移動させるときには、上記垂下片１７が上辺部１８とＬ金具１９の立ち上がり片２１との間を僅かにスライドすることになり、この垂下片１７が上辺部１８と前記立ち上がり片２１とで挟持状態にして保持されていることから、前記支持金具１５の移動により機枠１３が傾動することとなる。
【００１１】
また、上フレーム３には位置調整部２５が設けられている。この位置調整部２５は、図３に示すように、上記支持金具１５の上片１６から上方に向けて起きた立ち上がり片２６を、上フレーム３に開口した窓部２７に通し、その立ち上がり片２６に螺着する調整ねじ２８の後端を上フレーム３の内壁面に当接させたものであり、前記調整ねじ２８の回転により立ち上がり片２６が、即ち支持金具１５が上フレーム３の幅方向に移動できるように設けられていて、上述した固定ねじ２３を緩めた状態で調整ねじ２８を回転させることで、機枠１３の傾斜が調整されることになる。符号２９は調整ねじ２８の回転操作を行い易くするために上フレーム３に穿設されたドライバー挿入孔である。なお、支持金具１５の移動具合いが把握し易いようにするため、前記窓部２７に目盛りを付すようにしてもよい。
【００１２】
図４において示されているように、下支持装置６を、略Ｚ型の金具７に蝶ねじ１０が螺着している構造とする以外に他の構造とすることも可能である。その変形の例が（ロ）（ハ）に示されている。（ロ）に示された例の下支持装置６にあっては下フレーム４の上面の所要個所を切り起こして鈎型の受け片３０を設け、これに蝶ねじ１０を螺着したものである。また、（ハ）に示された下支持装置６は、平行に相対する一対の立ち上がり片３１を有する金具３２を下フレーム４に固定し、その立ち上がり片３１の前縁部分に下方から受座３３を配して係止可能とし、さらにその受座３３に前記蝶ねじ１０を螺着させるようにしたものである。（ロ）（ハ）に示したいずれの例においても、蝶ねじを締め付けることで機枠の下辺部を保持できるものとなる。
なお、機枠の傾斜はそれ程大きいものではなく、かつ、上記下支持装置では蝶ねじの下端を図２に示すように機枠下辺部の上面の幅方向での一点で当接させる点接触状態となって下辺部の僅かな変形を許容しているため、機枠の傾斜調整がその機枠自体を大きく変形させることはない。
【００１３】
【発明の効果】
以上説明したように本発明によれば、ユニット本体の金属の上下両フレーム間に複数のパチンコ機の機枠を配してパチンコ機が並列状態で装備されるパチンコ設備ユニットにおいて、ユニット本体の前記下フレームの上面側に、螺着されたねじを備えてねじ下端の下に前記機枠の下辺部が差し入れられる挟持部を前記下フレームとで形成する下支持装置を設けて、該下支持装置と下フレームとで前記下辺部を挟持状態にして保持し、前記上フレームの下面側に断面Ｌ字型の支持金具を設けて、この支持金具の下方に向いた垂下片を、前記機枠の上辺部の後面とこの上辺部の下面に取り付けたＬ金具の前記上辺部の後面側で立ち上がった立ち上がり片とで挟持状態にしてスライド可能に保持したことを特徴とするものである。このようにパチンコ機の機枠における上辺部とＬ金具とで支持金具を挟持状態にして保持するため、その下辺部の下に合板を介在せさることなく大小の機枠を支持することができるようになる。そして機枠の上辺部側に保持される支持金具を上フレームに対してユニット奥行方向に移動できるようにすることで、機枠の傾斜が調整できるようになり、機枠の取付と傾斜調整が頗る簡単になるなど、実用性に優れた効果を奏するものである。
【図面の簡単な説明】
【図１】  本発明に係るパチンコ設備ユニットの実施の例を示す説明図である。
【図２】  機枠の取付状態を示す説明図である。
【図３】  上フレームにおける位置調整部を示す説明図である。
【図４】  下支持装置を示す説明図である。
【符号の説明】
１…パチンコ設備ユニット
３…上フレーム
４…下フレーム
５…開口部
６…下支持装置
１３…機枠
１４…下辺部
１５…支持金具
１８…上辺部
２４…上片
２５…位置調整部
【図１】
0003959549.tif 000002
【図２】
0003959549.tif 000003
【図３】
0003959549.tif 000004
【図４】
0003959549.tif 000005